(57)【要約】舌苔の除去効率を高めることができるとともに、舌を傷める恐れが少ない舌苔クリーナを提供する。【解決手段】柄部２と、上記柄部２の一方又は双方の端部から上記柄部の軸線に対して直交する方向に延びる舌苔除去部３とを備えるとともに、上記舌苔除去部に、舌表面に作用する掻き出し部６ａを設けて構成される。【選択図】図１
0003124986.tif 000002
【実用新案登録請求の範囲】
【請求項１】
柄部と、
上記柄部の一方又は双方の端部から上記柄部の軸線に対して直交する方向に延びる舌苔除去部とを備えるとともに、
上記舌苔除去部に、舌表面に作用する掻き出し部を設けた、舌苔クリーナ。
【請求項２】
上記舌苔除去部を、上記柄部の端部に対して着脱可能に装着した、舌苔クリーナ。
【請求項３】
上記掻き出し部を、板状又はブラシ状に形成した請求項１又は請求項２のいずれかに記載の舌苔クリーナ。
【請求項４】
柄部と、
上記柄部の一方又は双方の端部から上記柄部の軸線に対して略直交する方向に延びる舌苔除去部を備える舌苔クリーナであって、
上記舌苔除去部を、偏平リング状に成形された帯板部材から構成するとともに、上記帯板部材の縁部に、舌苔を掻き出す掻き出し部を設けた、舌苔クリーナ。
【請求項５】
上記舌苔除去部は、舌に作用させることにより弾性変形させられて偏平率が変化するように構成されている、請求項４に記載の舌苔クリーナ。
【請求項６】
上記舌苔除去部を、上記柄部に対して着脱可能に設けた、請求項４又は請求項５のいずれかに記載の舌苔クリーナ。
【請求項７】
上記掻き出し部を、上記帯板部材の縁部に凹凸を設けて構成した、請求項４から請求項６のいずれかに記載の舌苔クリーナ。
【請求項８】
上記掻き出し部を、上帯板部材の縁部に沿うブラシを設けて構成した、請求項４から請求項６のいずれかに記載の舌苔クリーナ。
【考案の詳細な説明】
【技術分野】
【０００１】
本願考案は、舌苔クリーナに関する。詳しくは、非常に簡単に構成できるとともに舌を傷めることなく効率よく舌苔等を除去でき、さらに、掻き出し部を容易に交換できる舌苔クリーナに関する。
【背景技術】
【０００２】
舌の表面には、食べ物の残滓や新陳代謝によって生じる舌苔が付着する。これらの付着物は、口臭や味覚異常の原因となることがある。特に、煙草を喫する場合には、舌苔が変色して美観的にも問題である。
【０００３】
従来、舌の付着物を除去するために、歯ブラシを転用したり、専用の舌ブラシを用いていた。
【考案の開示】
【考案が解決しようとする課題】
【０００４】
しかしながら、上記歯ブラシを転用する場合には、ブラシ部が柄の軸方向に向かって延出しているため、舌の広い部分に作用させることは困難である。また、本来舌に比べて固い歯を磨くためのものであるため、舌表面を傷める恐れがある。
【０００５】
また、専用の舌ブラシを使用する場合には、上記のような問題は生じないが、舌の状態によって全ての人に適用できるとは限らない。また、健康状態によって舌表面の状態が変化するため、異なる固さや形態の舌苔クリーナを使用したい場合もある。
【０００６】
さらに、従来の舌ブラシは、毛先が舌の形状に応じて変形しながら、舌苔等を掻き出すように作用するのであるが、ブラシを植え込んだ基部が固定構造となっているため、舌の表面形態に対応させて作用させるのは困難であった。
【０００７】
本願考案は、上述の事情のもとで案出されたものであり、上記従来の問題を解決し、舌苔の除去効率を高めることができるとともに、舌を傷める恐れが少ない舌苔クリーナを提供するものである。
【課題を解決するための手段】
【０００８】
本願の請求項１に記載した考案は、柄部と、上記柄部の一方又は双方の端部から上記柄部の軸線に対して直交する方向に延びる舌苔除去部とを備えるとともに、上記舌苔除去部に、舌表面に作用する掻き出し部を設けて舌苔クリーナを構成したものである。
【０００９】
本願考案においては、舌苔除去部を柄部の軸線に対して直交する方向に延びるように構成している。このため、柄部の軸方向に移動させることにより、舌苔除去部を舌表面の広い面積に効率よく作用させることができる。
【００１０】
また、上記舌苔除去部は、上記柄部の一方又は双方の端部に設けられる。上記柄部の双方の端部に設けることにより、異なる形態の舌苔除去部を一つの柄部に対して設けることが可能となり、舌の状態によって使い分けることができる。
【００１１】
請求項２に記載した考案は、上記舌苔除去部を、上記柄部の端部に対して着脱可能に装着したものである。これにより、種々の形態の舌苔除去部を装着して使用することが可能となる。上記舌苔除去部を装着する手法は特に限定されることはない。たとえば、種々の挟圧手段や嵌合手段によって、舌苔除去部を柄部に対して着脱可能に設けることができる。
【００１２】
上記舌苔除去部を上記柄部に対して着脱可能に設けることにより、種々の形態の舌苔除去部を装着することが可能となる。たとえば、請求項３に記載した考案のように、上記舌苔除去部を、板状やブラシ状の掻き出し部を備えるものを採用することができる。特に、板状エッジを有する掻き出し部を設けることにより、舌苔を削り取るように除去することが可能となる。
【００１３】
本願の請求項４に記載した考案は、柄部と、上記柄部の一方又は双方の端部から上記柄部の軸線に対して略直交する方向に延びる舌苔除去部を備える舌苔クリーナであって、上記舌苔除去部を、偏平リング状に成形された帯板部材から構成するとともに、上記帯板部材の縁部に、舌苔を掻き出す掻き出し部を設けたものである。上記偏平リング状の形態として、少なくとも舌に作用するエッジ部分が、外方に膨出する曲線状となるように形成するのが好ましい。たとえば、全体が楕円の帯板部材から舌苔除去部を構成することができる。また、上記舌苔除去部の縁部に沿って、ブラシ状の掻き出し部や板状エッジを有する掻き出し部を設けることもできる。
【００１４】
上記形態の舌苔除去部を採用することにより、曲線状に膨出する縁部を舌に作用させることが可能となり、舌苔の生じやすい舌の中央部に効率よく作用させることができる。
【００１５】
さらに、本願の請求項５に記載した考案は、上記舌苔除去部を、舌に作用させることにより、偏平率が弾性的に変化するように構成したものである。
【００１６】
従来の舌苔クリーナは、ブラシ等が変形して舌表面に作用することはあっても、舌苔除去部全体が変形しながら舌に作用することはなかった。このため、使用者の舌の形態に合わない場合があった。また、舌の一部に大きな力が作用して、舌を傷める恐れもあった。
【００１７】
偏平リング状の舌苔除去部の縁部に設けた掻き出し部を舌表面に作用させると、舌苔除去部は加えた力に応じて偏平率が変化するように弾性変形させられる。
【００１８】
本請求項に記載した考案では、舌苔除去部を偏平リング状成形された帯板部材から形成しているため、上記リング部は軸方向には変形しにくい。一方、上記リングの軸に直交する平面に沿う方向には変形しやすい。
【００１９】
掻き出す際に加える柄部の軸方向力が大きくなると、上記リンク状の舌苔除去部が、柄部の軸方向に延びるように弾性変形させられ、軸に直交する方向の偏平率が減少する。上記偏平率が減少すると舌表面に作用する部分が少なくなり、舌苔の多い部分に対して集中的に作用させることができる。一方、上記軸方向力が小さい場合は、上記舌苔除去部の弾性変形量も小さくなる。すなわち、舌苔クリーナに加える力を調節することにより、舌に作用する部分の大きさを調節することができるのである。
【００２０】
上記帯板部材の材料は特に限定されることはなく、プラスチックを射出成形等るすることにより、楕円短筒状等の偏平リング状の板苔除去部を形成することができる。また、金属で帯板部材を楕円筒状に形成することもできる。なお、舌苔除去部の形態は帯板から形成されたリング状であれば、特に限定されることはない。すなわち、舌に作用する部分のみ滑らかな曲線状に形成されていればよく、その他の部分は三角筒状や矩形筒状に形成することもできる。
【００２１】
さらに、上記偏平リング状の上記帯板部材の縁部に設ける掻き出し部の形態も限定されることはない。たとえば、ブラシ状の掻き出し部や、板状エッジを有する掻き出し部を設けることができる。これらの場合にも、掻き出す力を調節することにより、上記掻き出し部を弾性変形させて使用することが可能となり、これまでにない舌苔クリーナを構成することができる。
【００２２】
本願の請求項６に記載した考案は、上記舌苔除去部を、上記柄部に対して着脱可能に設けたものである。着脱可能とする手段は特に限定されることはない。たとえば、リング状の帯板の一部を挟圧保持できる着脱手段を設けることができる。
【００２３】
また、上記帯板の一部を挟んで保持できる溝を、上記柄部の先端に設けることもできる。さらに、螺子手段等によって挟圧保持するように構成してもよい。
【００２４】
本願の請求項７に記載した考案は、上記掻き出し部を、上記帯板部材の縁部に凹凸を設けて構成したものである。上記凹凸を設けることにより、舌苔を効率よく掻き出すことができる。上記凹凸の形態も限定されることはなく、鋸状の凹凸や台形状の凹凸を設けることができる。
【００２５】
また、請求項８に記載した考案のように、上記掻き出し部を、上帯板部材の縁部に沿うブラシ部を設けて構成することができる。上記ブラシ部も、舌に加える力に応じて変形させられ、効率よく舌苔を除去することができる。
【考案を実施するための最良の形態】
【００２６】
以下、本願考案の実施の形態を図に基づいて具体的に説明する。
【００２７】
図１に、本願考案の第１の実施の形態を示す。
【００２８】
この図に示す舌苔クリーナ１は、柄部２と、この柄部２の先端部に装着される舌苔除去部３とを備えて構成されている。
【００２９】
上記舌苔除去部３は、上記柄部２の軸線方向に直交する方向に延出する短冊板状に形成されており、中央上部が上記柄部２の先端に保持されている。図２及び図３に示すように、上記柄部２の先端部には、上記板状の舌苔除去部３の厚みに対応した溝４が形成されている。一方、上記舌苔除去部３の上縁にも上記柄部２の先端部の幅に対応した溝５が形成されており、これら溝４，５を互いに噛み合わせることにより、上記柄部２と上記舌苔除去部３とが着脱可能に連結されている。
【００３０】
本実施の形態では、上記舌苔除去部３の舌縁に直線エッジ状の掻き出し部６ａが形成されている。図４に示すように、上記掻き出し部６ａは、先端部の角部に面取部７，７が設けられており、上記面取部７の寸法や形態を変更することにより、舌に作用する掻き出し強度を変更できるように構成している。
【００３１】
たとえば、図４に示す上記掻き出し部６ａの縁部を鋭利にするほど、舌苔を効率よく掻き出すことができるが、舌に強く作用するため舌を傷める恐れも高まる。また、図５に示す第２の実施の形態のように、断面円弧状の掻き出し部６ｂを採用することにより、舌面にソフトに接触させることが可能となり、舌を傷める恐れも少なくなる。したがって、種々の形態の舌苔除去部を準備し、使用者の好みや舌の状態に応じて上記舌苔除去部を交換して使用することが可能となる。
【００３２】
図６に示す第３の実施の形態では、上記掻き出し部６ｃに鋸状の凹凸８を設けている。上記凹凸８の形態は特に限定されることはなく、種々の形態や寸法の凹凸を設けることができる。上記凹凸を設けることにより、舌苔除去効率をさらに高めることができる。
【００３３】
図７から図９に、本願考案の第４の実施の形態を示す。この実施の形態は、舌苔除去部２３を、偏平リング状に成形された帯板部材２９から構成したものである。
【００３４】
本実施の形態では、上記舌苔除去部２３を、楕円状の短筒体の形態に形成している。上記偏平状の帯板部材２３の、前方の縁が掻き出し部２６として機能する。この曲線状の掻き出し部２６を舌面に作用させて舌苔を除去する。
【００３５】
図８に示すように、柄部２２の先端部に、上記帯板部材２９の厚さに対応した溝２４が形成されており、上記溝２４に上記帯板部材２９の長い方の楕円弧の中央部を嵌合させることにより、上記舌苔除去部２３が、上記柄部２２に着脱可能に保持されている。
【００３６】
上記帯板部材２９は、種々の材料から形成することができる。たとえば、金属薄板を曲折成形して形成することもできる。また、樹脂材料を一体成形して楕円筒状に形成することもできる。
【００３７】
上記帯板部材２９を、弾性変形しうる材料から形成することにより、舌に作用させたときに、上記偏平率が変化するように構成するのが好ましい。
【００３８】
すなわち、偏平リング状の帯板部材２９は、上記リングの軸方向には変形抵抗が大きくほとんど変形させられることはないが、上記軸と直交する面に沿って容易に変形させることができる。すなわち、舌面に直交する方向への押圧力と、上記柄部２２の軸方向に作用する力とを調節することにより、上記リングの偏平率を変化させて舌苔を除去することができるのである。
【００３９】
すなわち、図９に示すように、弾性変形しうる材料から形成した上記偏平リング状の舌苔除去部２３を、上記柄部２２を軸方向に移動させるようにして、掻き出し部２６を舌Ｔの表面に作用させると、この図の想像線で示すように、上記リングの偏平率が小さくなる方向に、すなわち、柄部２２の軸方向に楕円が延びるように弾性変形させられる。上記偏平率が小さくなると上記舌に作用する縁部が短くなる。このため、所望の部位の舌苔を選択的に除去することが可能となる。
【００４０】
上記偏平率は、リングの軸芯方向に作用する力と上記柄部２２の軸方向に作用する力によって変化する。このため、使用者は、上記力を調節することにより、上記舌苔除去部２３を変形させて、舌苔を除去することができる。また、全体が弾性変形させられるため、舌の局部に大きな力が作用することもなく、舌を傷める恐れも少なくなる。
【００４１】
図１０に、本願考案の第５の実施の形態を示す。
【００４２】
この実施の形態に係る舌苔クリーナ５１は、偏平リング状の帯板部材５９の縁部に、ブラシ毛４０を設けたものである。上記偏平リング状の帯板部材５９は、第４の実施の形態と同様に弾性変形しうるように形成されている。このため、これまでにない使用感を得ることができる。なお、本実施の形態では、板状部材の縁部全周にブラシ部を設けたが、前方の縁部のみにブラシ部を設けることができる。これにより、帯板部材の柄部側が弾性変形しやすくなる。さらに、両側の楕円縁部に異なる形態の掻き出し部を設けることもできる。
【００４３】
本願考案は、上述の実施の形態に限定されることはない。実施の形態では、柄部の一方の端部のみに、舌苔除去部を設けたが、柄部の両端部に舌苔除去部を設けることができる。
【００４４】
また、上記舌苔除去部を上記柄部に着脱可能に保持する手法も限定されることはなく、種々の手法を用いることができる。
【図面の簡単な説明】
【００４５】
【図１】本願考案の第１の実施の形態に係る舌苔クリーナの全体斜視図である。
【図２】図１に示した舌苔クリーナの舌苔除去部を柄部に着脱可能に保持する構造を示す斜視図である。
【図３】図１に示す舌苔クリーナの舌苔除去部の正面図である。
【図４】図１に示す舌苔クリーナの舌苔除去部の形態を示す図であり、図３に示すIV−IV線に沿う断面図である。
【図５】本願考案の第２の実施の形態を示す図であり、図４に示す舌苔除去部の他の形態を示す断面図である。
【図６】本願考案の第３の実施の形態を示す図であり、図３に相当する正面図である。
【図７】本願考案の第４の実施に係る舌苔クリーナの全体斜視図である。
【図８】図７に示した舌苔クリーナの舌苔除去部を柄部に着脱可能に保持する構造を示す斜視図である。
【図９】図７に示す舌苔クリーナの作用を示す説明図である。
【図１０】本願考案の第５の実施の形態を示す全体斜視図である。
【符号の説明】
【００４６】
１    舌苔クリーナ
２    柄部
３    舌苔除去部
【図１】
0003124986.tif 000003
【図２】
0003124986.tif 000004
【図３】
0003124986.tif 000005
【図４】
0003124986.tif 000006
【図５】
0003124986.tif 000007
【図６】
0003124986.tif 000008
【図７】
0003124986.tif 000009
【図８】
0003124986.tif 000010
【図９】
0003124986.tif 000011
【図１０】
0003124986.tif 000012
【手続補正書】
【提出日】平成18年7月3日(2006.7.3)
【手続補正１】
【補正対象書類名】実用新案登録請求の範囲
【補正対象項目名】全文
【補正方法】変更
【補正の内容】
【実用新案登録請求の範囲】
【請求項１】
柄部と、
上記柄部の一方又は双方の端部から上記柄部の軸線に対して直交する方向に延びる舌苔除去部とを備えるとともに、
上記舌苔除去部に、舌表面に作用する掻き出し部を設けた、舌苔クリーナ。
【請求項２】
上記舌苔除去部を、上記柄部の端部に対して着脱可能に装着した、請求項１に記載の舌苔クリーナ。
【請求項３】
上記掻き出し部を、板状又はブラシ状に形成した請求項１又は請求項２のいずれかに記載の舌苔クリーナ。
【請求項４】
柄部と、
上記柄部の一方又は双方の端部から上記柄部の軸線に対して略直交する方向に延びる舌苔除去部を備える舌苔クリーナであって、
上記舌苔除去部を、偏平リング状に成形された帯板部材から構成するとともに、上記帯板部材の縁部に、舌苔を掻き出す掻き出し部を設けた、舌苔クリーナ。
【請求項５】
上記舌苔除去部は、舌に作用させることにより弾性変形させられて偏平率が変化するように構成されている、請求項４に記載の舌苔クリーナ。
【請求項６】
上記舌苔除去部を、上記柄部に対して着脱可能に設けた、請求項４又は請求項５のいずれかに記載の舌苔クリーナ。
【請求項７】
上記掻き出し部を、上記帯板部材の縁部に凹凸を設けて構成した、請求項４から請求項６のいずれかに記載の舌苔クリーナ。
【請求項８】
上記掻き出し部を、上帯板部材の縁部に沿うブラシを設けて構成した、請求項４から請求項６のいずれかに記載の舌苔クリーナ。